(57)【要約】      （修正有）【課題】ファンからダクトへの送風損失を低減した冷蔵庫を提供することを目的とする。【解決手段】冷蔵庫本体に区画形成された冷凍室及び冷蔵室と、前記冷凍室及び前記冷蔵室を冷却する冷気が熱交換される冷却器と、前記冷却器が設けられる冷却器室８と、前記冷却器で熱交換された冷気を前記冷凍室及び前記冷蔵室に送風する略方形のファン９と、該ファンの前方を覆うように設けられて外周が該ファンの形状に沿うように形成されるファンカバー７０と、前記ファンの側方に配置されたダクト１５と、前記ファンカバーに形成された開口と前記ダクトとが連通する冷蔵庫において、前記ファンカバーに風路形成用の仕切り１２０ａ，１２０ｂが形成されて、該仕切りは、一方が前記ファンと前記ダクトとを結ぶファン前面中心軸上を含んで形成し、他方が前記ファンの右端部に沿って形成し、該ファン内部の冷気流れと前記ダクトの冷気流れを分離する、略Ｌ字である。【選択図】図８
2014020700.tif 000002
【特許請求の範囲】
【請求項１】
冷蔵庫本体に区画形成された冷凍室及び冷蔵室と、前記冷凍室及び前記冷蔵室を冷却する冷気が熱交換される冷却器と、前記冷却器が設けられる冷却器室と、前記冷却器で熱交換された冷気を前記冷凍室及び前記冷蔵室に送風する略方形のファンと、該ファンの前方を覆うように設けられて外周が該ファンの形状に沿うように形成されるファンカバーと、前記ファンの側方に配置されたダクトと、前記ファンカバーに形成された開口と前記ダクトとが連通する冷蔵庫において、
前記ファンカバーに風路形成用の仕切りが形成されて、該仕切りは、一方が前記ファンと前記ダクトとを結ぶファン前面中心軸上を含んで形成し、他方が前記ファンの右端部に沿って形成し、該ファン内部の冷気流れと前記ダクトの冷気流れを分離する、略Ｌ字であることを特徴とする冷蔵庫。
【請求項２】
請求項１において、前記ファンと前記ダクトとを結ぶ前記ファン前面中心軸からの傾斜角度θで前記一方の仕切りが配置されたことを特徴とする冷蔵庫。
【請求項３】
請求項２において、前記傾斜角度θを、０度から５０度としたことを特徴とする冷蔵庫。
【発明の詳細な説明】
【技術分野】
【０００１】
本発明は、冷蔵庫に関する。
【背景技術】
【０００２】
冷却器によって冷蔵温度帯室と冷凍温度帯室を冷却する蒸気圧縮式冷蔵庫であって、送風を制御すべくダンパを備えた冷蔵庫としては、例えば、特許文献１に記載のものがある。
【０００３】
特許文献１に記載の冷蔵庫は、冷蔵庫本体に区画形成された冷凍温度帯室及び冷蔵温度帯室と、前記冷凍温度帯室及び前記冷蔵温度帯室を冷却する冷気が熱交換される冷却器と、前記冷却器が設けられる冷却器収納室と、前記冷却器で熱交換された冷気を前記冷凍温度帯室及び前記冷蔵温度帯室に送風する庫内ファンと、該庫内ファンの前方を覆うように設けられ前記冷凍温度帯室又は前記冷蔵温度帯室と連通する開口を有するファンカバーと、該ファンカバーの開口に設けられ送風を制御するダンパと、前記庫内ファンの前方に位置する前記冷凍温度帯室又は前記冷蔵温度帯室に冷気を吹き出す吹き出し口と、前記ファンカバーの前方を覆うように設けられて前記開口から前記吹き出し口に冷気を送風するダクトと、を備えることで内容積効率や省エネルギー性が向上するとされている。
【０００４】
また、庫内ファンとしては、略方形（ボックス型）の軸流ファンを使用することがある。
【先行技術文献】
【特許文献】
【０００５】
【特許文献１】特開２０１１−５８６８６号公報
【発明の概要】
【発明が解決しようとする課題】
【０００６】
特許文献１に記載の冷蔵庫は、冷蔵庫の庫内の容積を広くするためにダクトは狭く設定されるため、ファンからの風を前方に吹き出すよりも、ファンの回転方向に吹き出す旋回流れに適している。そして、ファンの旋回流れをファン上方に設けたダンパへ導くため、ファン前方にファンカバーが設置され、ファンの軸方向と周回方向に対しファン風路の側面壁となるように、ファン旋回流れに合わせたファンのケーシングを形成している。
【０００７】
しかしながら、ダクトに接続するように形成したファンカバーはダクト寸法に合わせて小型に形成されるため、送風抵抗となっていた。
【０００８】
そこで本発明は、ファンからダクトへの送風損失を低減した冷蔵庫を提供することを目的とする。
【課題を解決するための手段】
【０００９】
本発明では、上述の課題を解決するため、例えば特許請求の範囲に記載の手段を採用する。一例として、冷蔵庫本体に区画形成された冷凍室及び冷蔵室と、前記冷凍室及び前記冷蔵室を冷却する冷気が熱交換される冷却器と、前記冷却器が設けられる冷却器室と、前記冷却器で熱交換された冷気を前記冷凍室及び前記冷蔵室に送風する略方形のファンと、該ファンの前方を覆うように設けられて外周が該ファンの形状に沿うように形成されるファンカバーと、前記ファンの側方に配置されたダクトと、前記ファンカバーに形成された開口と前記ダクトとが連通する冷蔵庫において、前記ファンカバーに風路形成用の仕切りが形成されて、該仕切りは、一方が前記ファンと前記ダクトとを結ぶファン前面中心軸上を含んで形成し、他方が前記ファンの右端部に沿って形成し、該ファン内部の冷気流れと前記ダクトの冷気流れを分離する、略Ｌ字であることを特徴とする。
【発明の効果】
【００１０】
本発明によれば、ファンからダクトへの送風損失を低減した冷蔵庫を提供することができる。
【図面の簡単な説明】
【００１１】
【図１】本発明を適用する冷蔵庫の庫内ファンとダクトの構成例を表す正面図。
【図２】本発明を適用する冷蔵庫の庫内ファンとダクトの周辺構造を表す正面図。
【図３】本発明を適用する冷蔵庫の庫内ファンとダクトの周辺構造を表す平面図。
【図４】本発明を適用する冷蔵庫の庫内ファンとダクトの周辺構造を表す斜視図。
【図５】比較例１の庫内ファンとファンケースとダクト周辺の流体解析結果での風の流線を表す正面図。
【図６】本発明の実施形態１に係る冷蔵庫の庫内ファンとダクトの周辺構造を表す正面図。
【図７】本発明の実施形態１に係る冷蔵庫の庫内ファンとファンケースとダクト周辺の流体解析結果での風の流線を表す正面図。
【図８】本発明の実施形態２に係る冷蔵庫の庫内ファンとダクトの周辺構造を表す正面図。
【図９】本発明の実施形態２に係る冷蔵庫の庫内ファンとファンケースとダクト周辺の流体解析結果での風の流線を表す正面図。
【図１０】比較例２の庫内ファンとダクトの周辺構造を表す正面図。
【図１１】比較例２の庫内ファンとファンケースとダクト周辺の流体解析結果での風の流線を表す正面図。
【発明を実施するための形態】
【００１２】
以下、実施例について図面を用いて説明する。
【００１３】
本実施例では、略方形（ボックス型）のファンと、正面寸法においてこのファンとほぼ同寸法となるファンカバーを有し、その側方にダクトを配設し、冷却器収納室からファンにより送風される冷気を、離れた貯蔵室に送風する基本構成である。そして、本実施例は、このような基本構成において、ファンからダクトまでの風路損失を減らす構成を備える。
【００１４】
図１において、冷却器７を配置した冷却器室８が冷蔵庫１の上部にあり、冷却器室８前方である冷凍室４から下部の冷蔵室２まで、ダクト１６を配設している。
【００１５】
なお、図１において、９はファン、３はファン９よりも上方の冷凍室上部空間、１０は冷蔵庫１本体である断熱箱体、６ｃはダクト１６の下方に形成された冷蔵室２への送風口、
３４は冷凍室温度センサ、１２は冷却器室８と冷凍室４を隔てる冷凍室背面カバー、２９は冷凍室３と冷蔵室２を上下に区画する断熱仕切り、１７は冷凍室４の冷気戻り口、１８ａは冷却器７の霜を融解する除霜ヒータである。
【００１６】
図２から図４において、冷却器室８の一部と、略方形のファン９と、ファン９の略方形と正面視でほぼ同じ寸法となるファンカバー７０と、ファン９の側方に配設したダクト１５と、ファンカバー７０を、ダクト１５と連結している。ファン９は、正面から見て右回り（時計回り）に回転し、冷却器室８からダクト１５（１６）へと冷気が送風される。
【００１７】
図５に示す比較例１の流体解析結果によれば、ファン９の平面方向中心軸J上で、ファン９の右端面部に渦Ａが発生する。また、渦Ａの右方向には渦Ｂが発生する。ファン９からファンカバー７０内、そして、ダクト１５への風の流線をみると、ダクト１５への流入部においては、ダクト１５の外周部に流線が集中している。つまり、ダクト１５の風路として渦Ｂの部分は流れを阻害している。
【実施例１】
【００１８】
図６に示す実施例１は、図５における渦Ａを形成しないように、ファンカバー７０に風路形成用の仕切り１２０を形成することを特徴としている。この仕切り１２０は、図５の渦Ａが生じないように、風の流れを仕切っている。仕切り１２０は、ファン９とダクト１５とを結ぶファン前面中心軸上J上に形成し、渦Ａの発生を防ぐ仕切り部１２０ａと、ファン９の右端部に沿い、ファン９内部の冷気流れとダクト１５部の冷気流れを分離する仕切り部１２０ｂとで、Ｌ字に形成される。
【００１９】
図７は、図６の実施例における、流体解析結果の流線を示したものである。図６の構造により、図５で発生していた渦Ａがなくなり、ダクト１５流入部においてダクト１５の外周部への流線の集中が緩和された。本実施例により、風量は図５の風量と比較して約３％増加した。
【実施例２】
【００２０】
実施例１の図７では、ダクト１５内周部でわずかに渦Ｃが発生する。
【００２１】
そこで、図８に示すように、実施例２では仕切り部１２０ａを中心軸Ｊから傾斜θをつけて形成したことを特徴とする。図８では、一例としてθ＝４５度で示している。
【００２２】
図９は、図８の実施例における、流体解析結果の流線を示したものである。図８の構造により、図７の渦Ｃが無くなり、ダクト１５外周部への流線の集中が更に緩和される。また、ダクト１５内周部の流れの阻害も少なくなる。本実施例により、風量は、図５の風量と比較して約１０％増加した。
【００２３】
なお、図１０は比較例２であり、仕切り部１２０ａを、図５の位置から下方に移動することで渦Ａから離したものである。これは、仕切り部１２０ａの配置と渦Ａの影響を確認するためのものであり、実施例２の有効性を確認するためのものである。なお、比較例の構成では、仕切り部１２０ｂが不要となるまで、仕切り部１２０ａを直線的に下方に延出させている。
【００２４】
図１１は、図１０の比較例２の構造における流体解析結果の流線を示したものである。図５に発生していた渦Ａは無くなっているが、流線は、ダクト１５への風の流線をみると、ダクト１５流入部においては、ダクト１５外周部に流線が集中しており、ダクト１５内周部の流線は、かなり乱れている。風量は、図５の風量と同等であり、結論として仕切り部としての効果は十分得られなかった。
【００２５】
本発明は以上より、冷蔵庫本体に区画形成された冷凍室及び冷蔵室と、前記冷凍室及び前記冷蔵室を冷却する冷気が熱交換される冷却器と、前記冷却器が設けられる冷却器室と、前記冷却器で熱交換された冷気を前記冷凍室及び前記冷蔵室に送風する略方形のファンと、該ファンの前方を覆うように設けられて外周が該ファンの形状に沿うように形成されるファンカバーと、前記ファンの側方に配置されたダクトと、前記ファンカバーに形成された開口と前記ダクトとが連通する冷蔵庫において、前記ファンカバーに風路形成用の仕切りが形成されて、該仕切りは、一方が前記ファンと前記ダクトとを結ぶファン前面中心軸上を含んで形成し、他方が前記ファンの右端部に沿って形成し、該ファン内部の冷気流れと前記ダクトの冷気流れを分離する、略Ｌ字である。
【００２６】
また、前記ファンと前記ダクトとを結ぶ前記ファン前面中心軸からの傾斜角度θで前記一方の仕切りが配置される。
【００２７】
前記傾斜角度θを、０度から５０度とする。
【符号の説明】
【００２８】
９  ファン
１５  ダクト
７０  ファンカバー
１２０  仕切り
１２０ａ  仕切り部
１２０ｂ  仕切り部
【図１】
2014020700.tif 000003
【図２】
2014020700.tif 000004
【図３】
2014020700.tif 000005
【図４】
2014020700.tif 000006
【図５】
2014020700.tif 000007
【図６】
2014020700.tif 000008
【図７】
2014020700.tif 000009
【図８】
2014020700.tif 000010
【図９】
2014020700.tif 000011
【図１０】
2014020700.tif 000012
【図１１】
2014020700.tif 000013